(57)【特許請求の範囲】
【請求項１】
ケーブルの挿入穴が形成された第１の筐体と、
第２の筐体であって、前記第２の筐体に対して前記第１の筐体が前記ケーブルの挿抜方向とは交差する方向に挿抜される第２の筐体と、
を備え、
前記第１の筐体及び前記第２の筐体は、前記ケーブルの挿抜方向に沿って設けられ、かつ前記第１の筐体と前記第２の筐体とが嵌合した状態において、前記ケーブルの挿抜方向の抜出側に進むに従って互いの間隔が広くなるように、前記第１の筐体の挿抜方向に向かい合う抜出抑制面を有する係止部をそれぞれ有する、
ことを特徴とするコネクタ。
【請求項２】
ケーブルの挿入穴が形成された第１の筐体と、
第２の筐体であって、前記第２の筐体に対して前記第１の筐体が前記ケーブルの挿抜方向とは交差する方向に挿抜される第２の筐体と、
を備え、
前記第１の筐体及び前記第２の筐体には、前記第１の筐体の抜出時に互いに接触する抜出抑制面を有する係止片がそれぞれ設けられ、
前記第１の筐体の抜出抑制面と前記第２の筐体の抜出抑制面とは、前記ケーブルの挿抜方向に沿って設けられ、かつ前記第１の筐体と前記第２の筐体とが嵌合した状態において、前記ケーブルの挿抜方向の抜出側に進むに従って互いの間隔が広くなるように向かい合う、
ことを特徴とするコネクタ。
【請求項３】
前記第１の筐体の係止片及び前記第２の筐体の係止片は、前記第１の筐体の挿入時に互いに接触する挿入抑制面をそれぞれ有し、
前記第１の筐体の挿入抑制面及び前記第２の筐体の挿入抑制面は、前記ケーブルの挿抜方向に沿って設けられ、かつ前記第１の筐体と前記第２の筐体とが嵌合した状態において、一方が他方に対して前記ケーブルの挿抜方向の抜出側に進むに従って互いの間隔が広くなるように傾斜する、
請求項２に記載のコネクタ。
【発明の詳細な説明】
【技術分野】
【０００１】
本発明は、コネクタに関し、特には２つの筐体の嵌合構造に関する。
【背景技術】
【０００２】
特許文献１には、ケーブルが挿入されたソケットコネクタが、回路基板上に配置されたベースコネクタに回路基板と垂直な方向に嵌め込まれる、いわゆる垂直嵌合型のコネクタが開示されている。このコネクタでは、ベースコネクタの内側面及びソケットコネクタの外側面にケーブルの挿入方向に延びる係止部がそれぞれ設けられており、これら係止部が上下に重なるように係合する。
【先行技術文献】
【特許文献】
【０００３】
【特許文献１】特開２００９−２２４０８６号公報
【発明の概要】
【発明が解決しようとする課題】
【０００４】
ところで、上記従来のコネクタでは、ソケットコネクタをベースコネクタから取り外す際に、回路基板から離れる方向にケーブルが引き上げられることが多い。このとき、ソケットコネクタの係止部は傾斜した状態でベースコネクタの係止部と接触することから、抜け止めのための抵抗力を十分に発揮できないおそれがある。また、係止部が部分的に削られるため、それ以降、抜け止めのための抵抗力が激減するおそれがある。
【０００５】
本発明は、上記実情に鑑みて為されたものであり、抜け止めのための抵抗力の向上を図ると共に、抜け止めのための抵抗力の劣化を抑制することが可能なコネクタを提供することを主な目的とする。
【課題を解決するための手段】
【０００６】
上記課題を解決するため、本発明のコネクタは、ケーブルの挿入穴が形成された第１の筐体と、第２の筐体であって、前記第２の筐体に対して前記第１の筐体が前記ケーブルの挿抜方向とは交差する方向に挿抜される第２の筐体と、を備える。前記第１の筐体及び前記第２の筐体は、前記第１の筐体と前記第２の筐体とが嵌合した状態において、前記ケーブルの挿抜方向の抜出側に進むに従って互いの間隔が広くなるように、前記第１の筐体の挿抜方向に向かい合う係止部をそれぞれ有する。
【０００７】
本発明によると、ケーブルが第１の筐体の抜出方向に引き上げられたときに、２つの係止部が平行な状態に近づくため、抜け止めのための抵抗力の向上を図ることが可能である。また、係止部が部分的に削られることが抑制されるため、抜け止めのための抵抗力の劣化を抑制することが可能となる。
【０００８】
また、本発明のコネクタは、ケーブルの挿入穴が形成された第１の筐体と、第２の筐体であって、前記第２の筐体に対して前記第１の筐体が前記ケーブルの挿抜方向とは交差する方向に挿抜される第２の筐体と、を備える。前記第１の筐体及び前記第２の筐体には、前記第１の筐体の抜出時に互いに接触する抜出抑制面を有する係止片がそれぞれ設けられる。前記第１の筐体の抜出抑制面と前記第２の筐体の抜出抑制面とは、前記第１の筐体と前記第２の筐体とが嵌合した状態において、前記ケーブルの挿抜方向の抜出側に進むに従って互いの間隔が広くなるように向かい合う。
【０００９】
本発明によると、ケーブルが第１の筐体の抜出方向に引き上げられたときに、２つの抜出抑制面が平行な状態に近づくため、抜け止めのための抵抗力の向上を図ることが可能である。また、抜出抑制面が部分的に削られることが抑制されるため、抜け止めのための抵抗力の劣化を抑制することが可能となる。
【００１０】
また、本発明のコネクタにおいて、前記第１の筐体の係止片及び前記第２の筐体の係止片は、前記第１の筐体の挿入時に互いに接触する挿入抑制面をそれぞれ有し、前記第１の筐体の挿入抑制面及び前記第２の筐体の挿入抑制面の一方が他方に対して傾斜していてもよい。これによると、第１の筐体を第２の筐体に挿入するときに、２つの挿入抑制面が平行ではないため、挿入に必要な力の低減を図ることが可能となる。
【図面の簡単な説明】
【００１１】
【図１Ａ】本発明の一実施形態に係るコネクタの斜視図である。
【図１Ｂ】コネクタの分解斜視図である。
【図２Ａ】コネクタに含まれる第１の筐体の平面図である。
【図２Ｂ】コネクタに含まれる第１の筐体の側面図である。
【図３】コネクタに含まれる第２の筐体の断面図である。
【図４Ａ】コネクタの断面図である。
【図４Ｂ】コネクタの断面図である。
【図５】変形例に係る筐体の断面図である。
【発明を実施するための形態】
【００１２】
本発明のコネクタの実施形態を、図面を参照しながら説明する。
【００１３】
図１Ａ及び図１Ｂは、コネクタ１の斜視図である。図２Ａ及び図２Ｂは、第１の筐体である雄型筐体２の平面図及び側面図である。図３は、第２の筐体である雌型筐体３の断面図である。図４Ａ及び図４Ｂは、コネクタ１の断面図である。これらの図では、ケーブル９１の挿入方向を前方向とし、ケーブル９１の抜出方向を後方向とし、雄型筐体２の挿入方向を下方向とし、雄型筐体２の抜出方向を上方向とする。
【００１４】
コネクタ１は、ケーブル９１が取り付けられる雄型筐体２と、不図示の回路基板上に配置される雌型筐体３と、を備えている。雄型筐体２と雌型筐体３とが嵌合するとき、コネクタ１は、全体として上下方向に比較的短い概略矩形板状を為す。雄型筐体２及び雌型筐体３は、絶縁性の樹脂材料により成形されている。
【００１５】
雄型筐体２は、上下方向に比較的短い概略矩形板状に構成されている。雄型筐体２には、後端から前方に延びる複数の挿入穴２ａが形成されている。各々の挿入穴２ａには、先端に端子９２を有するケーブル９１が挿入される。雄型筐体２の左右両方の外側面には、外側方に突出する凸状の係止部２１が設けられている。係止部２１は、外側面の前後方向の中央部で前後方向に延びている。
【００１６】
雌型筐体３は、上下方向に比較的短い概略矩形箱状に構成されており、上方向と後方向とに向けて開放された収納空間３ａを有している。雌型筐体３は、収納空間３ａの前方に配置される中辺部３１と、中辺部３１の両端から後方に延び、収納空間３ａの左右両方に配置される一対の側辺部３２と、収納空間３ａの下方に配置される底部３３と、を備えている。
【００１７】
中辺部３１には、前後方向に貫通する複数の貫通穴３１ａが左右方向に離れて形成されており、各々の貫通穴３１ａには、板状の端子９３が起立した姿勢で前方から後方に向けて挿入される。端子９３は、雄型筐体２と雌型筐体３とが嵌合するとき、ケーブル９１の先端に設けられた端子９２と接触する。また、端子９３は、不図示の回路基板の表面に設けられた電極と接触する。
【００１８】
各々の側辺部３２の内側面には、内側方に突出する凸状の係止部３５が設けられている。係止部３５は、内側面の前後方向の中央部で前後方向に延びている。また、各々の側辺部３２の後部には、上下方向に貫通する貫通穴３２ａが形成されており、各々の貫通穴３２ａには、支持金具４が上方から下方に向けて挿入される。支持金具４は、はんだ等で不図示の回路基板に固着される。
【００１９】
雄型筐体２は、雌型筐体３の収納空間３ａに上方から下方に向けて挿入される。このとき、雄型筐体２の係止部２１と雌型筐体３の係止部３５とは、互いに相手を乗り越えて係合状態に至る（図４Ｂを参照）。雄型筐体２及び雌型筐体３は、係止部２１，３５が受けた力を吸収するためのバネ形状のような構成を有しておらず、係止部２１，３５が受けた力は、係止部２１，３５自身が変形することによって吸収される。こうした係止部２１，３５は、フリクションロックとも呼ばれる。
【００２０】
具体的には、雄型筐体２の係止部２１は、上方を向いた抜出抑制面２１ａと、下方を向いた挿入抑制面２１ｃと、を有している。雌型筐体３の係止部３５は、下方を向いた抜出抑制面３５ａと、上方を向いた挿入抑制面３５ｃと、を有している。雄型筐体２が雌型筐体３に挿入されるとき、係止部２１の下側の挿入抑制面２１ｃと、係止部３５の上側の挿入抑制面３５ｃと、が接触する。これら挿入抑制面２１ｃ，３５ｃが互いに接触することにより、挿入抵抗力が生じる。他方、雄型筐体２が雌型筐体３から抜出されるとき、係止部２１の上側の抜出抑制面２１ａと、係止部３５の下側の抜出抑制面３５ａと、が接触する。これら抜出抑制面２１ａ，３５ａが互いに接触することにより、抜出抵抗力（すなわち、抜け止めのための抵抗力）が生じる。
【００２１】
挿入抵抗力は、挿入抑制面２１ｃ，３５ｃの角度に応じて定まり、抜出抵抗力は、抜出抑制面２１ａ，３５ａの角度に応じて定まる。抜出抵抗力を挿入抵抗力より大きくするため、抜出抑制面２１ａ，３５ａの上下方向を基準とする傾斜は、挿入抑制面２１ｃ，３５ｃよりも大きく設定される（図４Ｂを参照）。
【００２２】
雄型筐体２の係止部２１の抜出抑制面２１ａは、前上がりに傾斜している（図２Ｂを参照）。これに対して、雌型筐体３の係止部３５の抜出抑制面３５ａは、前後方向には傾斜していない（図３を参照）。このため、雄型筐体２と雌型筐体３とが嵌合した状態において、抜出抑制面２１ａ，３５ａは、後方向に進むに従って互いの間隔が広くなるように上下方向に向かい合う。そして、ケーブル９１が上方に引き上げられたとき、抜出抑制面２１ａ，３５ａは、より平行に近い形で接触することになる（図４Ａを参照）。これにより、抜出抵抗力の向上を図ることが可能であると共に、抜出抑制面２１ａ，３５ａが部分的に削られることが抑制されるため、抜出抵抗力の劣化を抑制することが可能である。なお、抜出抑制面２１ａの傾斜角度は、抜出抑制面２１ａ，３５ａの間隔や抜出抑制面２１ａの長さなどに応じて適宜設定される。
【００２３】
ここで、雄型筐体２と雌型筐体３とが嵌合した状態とは、係止部２１，３５が係合状態にあって、かつ雄型筐体２自身やケーブル９１が持ち上げられていない状態、すなわち、雄型筐体２の下面が雌型筐体３の底面と平行に接触している状態である。
【００２４】
なお、本実施形態では、雄型筐体２の係止部２１の抜出抑制面２１ａが前上がりに傾斜した例を挙げたが、これに限られず、図５に示されるように、雌型筐体３の係止部３５の抜出抑制面３５ａが前下がりに傾斜しても、同様の作用効果を得ることが可能である。
【００２５】
また、本実施形態では、雄型筐体２の係止部２１の挿入抑制面２１ｃも、前上がりに傾斜している（図２Ｂを参照）。これに対して、雌型筐体３の係止部３５の挿入抑制面３５ｃは、前後方向には傾斜していない（図３を参照）。このため、雄型筐体２が雌型筐体３の収納空間３ａに挿入されるときに、挿入抑制面２１ｃ，３５ｃは一方が他方に対して傾斜した状態で接触することになる。これにより、挿入抵抗力の低減を図ることが可能である。
【００２６】
以上、本発明の実施形態について説明したが、本発明は上記実施形態に限定されるものではなく、種々の変形実施が当業者にとって可能であるのはもちろんである。
【符号の説明】
【００２７】
１  コネクタ、２  雄型筐体（第１の筐体）、２ａ  挿入穴、２１  係止部、２１ａ  抜出抑制面、２１ｃ  挿入抑制面、３  雌型筐体（第２の筐体）、３ａ  収納空間、３１  中辺部、３１ａ  貫通穴、３２  側辺部、３２ａ  貫通穴、３３  底部、３５  係止部、３５ａ  抜出抑制面、３５ｃ  挿入抑制面、４  支持金具、９１  ケーブル、９２  端子、９３  端子。
【図１Ａ】
0005785451.tif 000002
【図１Ｂ】
0005785451.tif 000003
【図２Ａ】
0005785451.tif 000004
【図２Ｂ】
0005785451.tif 000005
【図３】
0005785451.tif 000006
【図４Ａ】
0005785451.tif 000007
【図４Ｂ】
0005785451.tif 000008
【図５】
0005785451.tif 000009